Podtech/llm-jp-corpus-v4-ja_patent huggingface dataset:
(57)【要約】      （修正有）【課題】ハイマウントストップランプユニットの構造を利用し、ユニット内部品の一部である赤色レンズ形状に合わせたＬＥＤ基板との組み合わせで省電力と視認性を良くしたランプを提供する。【解決手段】電球仕様のハイマウントストップランプの前面に赤色レンズ部品を使用した構造のユニットで、その赤色レンズ部分を取除き、ＬＥＤを配列した基板と組み合わせることで簡単にＬＥＤランプに出来るようにした。ハイマウントストップランプのユニット形状は、そのままで、また内部の構造を変えることなく前面の赤色レンズを交換するだけでＬＥＤランプ化し、省電力と視認性を良くした。【選択図】図１
0003145119.tif 000002
【実用新案登録請求の範囲】
【請求項１】
自動車のハイマウントストップランプが電球仕様のものを簡単な部品交換でＬＥＤ化させる考案。
【考案の詳細な説明】
【技術分野】本考案は、自動車の電球仕様のハイマウントストップランプの前面に赤色レンズ部品を使用した構造のユニットで、その赤色レンズ部分を取除き、ＬＥＤを配列した灯火に仕様変更出来るようにした考案。
【背景技術】電球仕様のハイマウントストップランプは消費電力も多く、球切れ等の問題もあり、ＬＥＤ化が理想であったがハイマウントストップランプユニットごと、交換することは困難だった。
【考案の開示】
【考案が解決しようとする課題】
【０００１】電球仕様のハイマウントストップランプを省電力や球切れの無い、ＬＥＤ化にすることは理想的だが、ユニットごと交換する必要があり、それには専用ユニットを作るか、ユニット内部をＬＥＤ化する等、技術的に難しい面があった。
【課題を解決するための手段】
【０００２】電球仕様のハイマウントストップランプの前面に赤色レンズ部品を使用した構造のユニットで、その赤色レンズ部分を取除き、ＬＥＤを配列した基板を交換することで簡単にＬＥＤ化に出来るようにした考案。
【考案の効果】
【０００３】ハイマウントストップランプのユニット形状は、そのままで、また内部の構造を変えることなく前面の赤色レンズを交換するだけでＬＥＤ化することが出来た。
【実施例】簡単に省電力のＬＥＤ化に変更することが出来る。
【図面の簡単な説明】
【図１】ハイマウントストップランプユニットを構成する一つの部品にあたる赤色レンズを取外し、ＬＥＤ灯火の基板に交換することで簡単にＬＥＤ化出来る。
【図１】
0003145119.tif 000003
【手続補正書】
【提出日】平成20年6月16日(2008.6.16)
【手続補正１】
【補正対象書類名】実用新案登録請求の範囲
【補正対象項目名】全文
【補正方法】変更
【補正の内容】
【実用新案登録請求の範囲】
【請求項１】
電球仕様のハイマウントストップランプユニットをユニットレンズ形状に合わせたＬＥＤ基板との組み合わせにより、ハイマウントストップランプをＬＥＤランプ化させ、省電力と視認性を良くした考案。
【手続補正２】
【補正対象書類名】明細書
【補正対象項目名】全文
【補正方法】変更
【補正の内容】
【考案の詳細な説明】
【技術分野】本考案は、自動車の電球仕様のハイマウントストップランプの前面に赤色レンズ部品を使用した構造のユニット形状で、そのユニット構造を利用し、部品の一部である赤色レンズ部分の形状に合わせたＬＥＤ基板を製作し、ハイマウントストップランプユニットと組み合わせることでＬＥＤを配列した灯火に変更し、省電力と視認性を良くした考案。
【背景技術】電球仕様のハイマウントストップランプは消費電力も多く、球切れ等の問題もあり、ＬＥＤ化が理想であったがハイマウントストップランプユニットごと、交換することは困難だったがユニットレンズ形状に合わせたＬＥＤ基板と組み合わせることで問題を解消した。
【考案の開示】
【考案が解決しようとする課題】
【０００１】ハイマウントストップランプユニットの構造を利用し、ユニット内部品の一部である赤色レンズ形状に合わせたＬＥＤ基板との組み合わせで省電力と視認性を良くした。
【課題を解決するための手段】
【０００２】電球仕様のハイマウントストップランプの前面に赤色レンズ部品を使用した構造のユニットで、その赤色レンズ部分を取除き、ＬＥＤを配列した基板と組み合わせることで簡単にＬＥＤランプに出来るようにした考案。
【考案の効果】
【０００３】ハイマウントストップランプのユニット形状は、そのままで、また内部の構造を変えることなく前面の赤色レンズを交換するだけでＬＥＤランプ化し、省電力と視認性を良くした。
【実施例】ユニットとＬＥＤ基板の組み合わせにより、簡単に省電力と視認性に優れたＬＥＤランプに変更することが出来る。
【図面の簡単な説明】
【図１】ハイマウントストップランプユニットを構成する一つの部品にあたる赤色レンズ形状に合わせた、ＬＥＤ灯火の基板とユニットを組み合わせることですることＬＥＤランプ化出来、省電力と視認性を良くする。
【手続補正３】
【補正対象書類名】図面
【補正対象項目名】全図
【補正方法】変更
【補正の内容】
【図１】
0003145119.tif 000004
(57)【要約】      （修正有）【課題】油性のドレッシングを食品に振りかける際、油と液体とが分かれてしまう（先に油だけが出てしまう）のを防ぎいつでも油と液体が均等に混ざったものを振りかける事が出来るようラムネ容器を応用したドレッシング用の容器を提供する。【解決手段】ラムネ容器をドレッシングの容器に使用し、ラムネ容器（瓶）にキャップを取り付けた。【選択図】図１
0003145142.tif 000002
【実用新案登録請求の範囲】
【請求項１】
キャップの付いたラムネ容器
【考案の詳細な説明】
【技術分野】
【０００１】本実用新案は油性ドレッシングを食品にかける際に油と液体の分離を防ぐことを目的とし、ラムネ容器にキャップを施したものである。
【背景技術】
【０００２】従来は球の入った容器、いわゆるラムネ容器にキャップを施した容器はなかった、
【考案の開示】
【考案が解決しようとする課題】
【０００１】油性のドレッシングは油部分と水溶性液部分とが簡単に分離してしまう。
従って使用時に十分に振るのであるが、食品にかけようとすると油がその性質上すぐに上部に移動してしまう。
本来は油と水溶性の液とが均等に混在しているものを食品にかけたいのであるが、従来のドレッシング容器では分離した液体のみ（主に油）が食品にかかり油との懸濁液を食品に「いつでも均等」に振りかけることが不可能であった
【課題を解決するための手段】
【０００２】ラムネ容器にキャップを取り付けドレッシング容器とした
【考案の効果】
【０００３】ラムネ容器はその中に球を要している。
従って逆さにすると栓の役目をして中の液が落下するのを防ぐ。
この性質のためこの容器を逆さにして上下に揺すると油と他の液が攪拌されて少量ずつ、しかも「いつでも均等」な懸濁液が落下する。
このラムネ容器にキャップを取り付けると油性ドレッシングの容器になる。
【実地例】
実際に市販の油性サラダドレッシングを本考案容器に入れて使用してみたところ油だけが先に出てしまうことなく均等な懸濁状態のドレッシング液となった。
【図面の簡単な説明】キャップの付いたラムネ容器を呈示する。
【図１】ラムネ容器の上部に容器一体型のキャップを付けた図。
【符号の説明】
１  ラムネ容器
２  キャップ
【図１】
0003145142.tif 000003
(57)【要約】      （修正有）【課題】脹脛、太股に溜った血液を全身に戻して体をリラックスさせて健全な身体に戻すための補助具を提供する。【解決手段】手摺枠１Ｂと１Ａと可動連結枠２から成り連結部位に可動金具４を設け、手摺り枠１Ｂと１Ａに補強枠６を設ける。足５にもクッション材３を設ける。使用する場合は手摺枠１Ａと１Ｂを足のマッサージを受ける人に合わせて広げて置き、マッサージを行う人は手摺枠を掴み枠内に入り、手摺り枠で体重調整を行い足で太股、脹脛のマッサージを行う。【選択図】図１
0003145150.tif 000002
【実用新案登録請求の範囲】
【請求項１】
手摺り枠を左右に設け前方と後方を可動式枠で連結した足揉み解し補助具
【請求項２】
折りたためてコンパクトに収納できる請求項１の足揉み解し補助具
【請求項３】
人に合わせて手摺り枠を左右に広げ閉じができる請求項１の足揉み解し補助具．
【考案の詳細な説明】
【技術分野】
【０００１】本考案は足の脹脛太股等をマッサージするのに使われる補助具に関するものである
【背景技術】
【０００２】従来家庭で足のマッサージをするのに両足に乗って踏み揉みするのに体重を調整する器具がないので全体重がかかるため又、疲れて浮腫んだ足は痛さで我慢できない、つかまる所がない．
【考案の開示】
【考案が解決しようとする課題】
【０００３】１日中立ち仕事の人１日中座り仕事の人等に足の疲れ浮脛をかかえている人が多くいます本考案は以上の間題点を解決するために家庭で毎日使用することにより元の身体に戻せる様にするものである
【課題を解決するための手段】
【０００４】手摺り付枠を左右に設け前方、後方を可動枠で連結することにより手摺り付枠を身体に合わせて自由に広げ閉じして設置できる．
【考案の効果】
【０００５】本考案の手摺り付枠を広げて足をマッサージしてもらう人を枠内の中央にして手摺り付枠を設置するマッサージする人は手摺り枠をにぎりマッサージされる人の太股、脹脛に乗り手摺り枠を握った手、腕で体重を調節して最良の体重でマッサージすることにより足の血流が良くなり疲れ痛み浮腫を改善することができる
【考案を実施するための最良の形態】
【０００６】以下本考案の実施の形態を説明する
（イ）手摺枠（１Ｂ）と（１Ａ）と可動連結枠（２）から成り連結部位に可動金具（４）を設け、手摺り枠（１Ｂ）と（１Ａ）に補強枠（６）を設ける
足（５）にもクッション材（３）を設ける．
本考案は以上の構成より成る
本考案を使用する場合は手摺枠（１Ａ）と（１Ｂ）を足のマッサージを受ける人に合わせて広げ置き、マッサージをおこなう人は手摺枠を掴み枠内に入いり手摺り枠で体重調整をおこない足で太股、脹脛のマッサージを行なう
【図面の簡単な説明】
【０００７】
【図１】本考案の斜視図
【図２】本考案の前面図
【図３】本考案の真上から見た全広げ図
【図４】本考案の真上から見た広げと閉じ途中図
【図５】本考案の真上から見た全閉じ収納図
【符号の説明】
【０００８】（１Ａ）（１Ｂ）手摺枠  （２）可動連結枠  （３）クッション材  （４）可動金具  （５）足  （６）補強枠．
【図１】
0003145150.tif 000003
【図２】
0003145150.tif 000004
【図３】
0003145150.tif 000005
【図４】
0003145150.tif 000006
【図５】
0003145150.tif 000007
(57)【要約】      （修正有）【課題】入浴する時に転倒を予防し、介助する時に濡れるのを防ぐ浴室用介助用履きものを提供する。【解決手段】壁部に通気孔を通さない履物であって、浴室と床面との接触が、合成樹脂、天然樹脂、人造ゴム、天然ゴム、織布、不織布等で作られ前記床面の上で滑りにくい材質で形成されていると共に接触部に通気孔がないものを特徴とする。【選択図】図１
0003145147.tif 000002
【実用新案登録請求の範囲】
【請求項１】
壁部に通気孔を通さない履物であって、溶室と床面との接触が合成樹脂、天然樹脂、人造ゴム、天然ゴム、織布、不織布等で作られ前記床面の上で滑りにくい材質で形成されていると共に接触部に通気孔がないものを特徴とする浴室用介助用履きものである。
【考案の詳細な説明】
【技術分野】
【０００１】本考案は、入浴する時に転倒を予防し、介助する時に濡れるのを予防する浴室用介助用履きものである。
【背景技術】
【０００２】従来は、素足のまま滑らないように歩き、相手を介助する時も常に濡れたままであった。
【特許文献１】実開平
【考案が解決しようとする課題】
【０００３】（イ）お風呂などに入って介助を行う際、素足のため足元にいくら注意してみてもケガをしたり滑ったりする事が多かった。
（ロ）浴槽に人を入れた時足を滑らせてケガをさせてしまう事があった。
本考案は、以上の問題点を解決するためになされたものである。
【課題を解決するための手段】
【０００４】壁部に通気孔を通さない履物であって浴室と床面との接触が合成樹脂、天然樹脂、人造ゴム、天然ゴム、織布、不織布等で作られ、前記床面の上で滑りにくい材質で形成されていると共に接触部に通気孔がないものを特徴とする浴室用介助用履きものである。
【発明の効果】
【０００５】履きやすく、通気性がないが滑りにくく足にフィットし足と一体になる事で異和感がない。
不用意に歩いても転倒の危険性が低くなり、水を弾くので濡れる心配がない。
【考案を実施するための最良の形態】
【０００６】  以下、本発明の実施の形態を説明する。
（イ）（１）足包用パットに足を入れ、（３）ベルト通しに（４）ベルトを通す。
（ロ）（２）履き口から足を入れ（１）足全体用パットに足の指を通す。
【図面の簡単な説明】
【０００７】
【図１】本考案の側面図
【図２】本考案の上面図
【符号の説明】
【０００８】１  足包用パット
２  履き口
３  ベルト通し
４、ベルト
【図１】
0003145147.tif 000003
【図２】
0003145147.tif 000004
(57)【要約】      （修正有）【課題】電子レンジで食材を加熱中に発生する油分や水分を、新たに設けた溝に取り込む事のできる食器を提供する。【解決手段】陶磁器製や陶器製の食器１の内側底面１ａに油分や水分などの液体が流れる溝１ｂを付けた。その結果、電子レンジで使用可能な食器１に食材を入れて加熱した後に、食材から流れ出た油分が食器１の内側底面の溝１ｂにたまる。また、食器内内側底面の溝に水分をあらかじめ入れておくことにより、電子レンジによる加熱にて、食材を蒸すこともできる。【選択図】図１
0003145146.tif 000002
【実用新案登録請求の範囲】
【請求項１】
陶磁器製や陶器製の食器の内側底面に、溝を少なくとも１つ以上刻設したことを特徴とした食器。
【考案の詳細な説明】
【技術分野】
【０００１】  本考案は、主としてプラスチックの蓋がついた、電子レンジで使用可能な陶磁器製や陶器製の食器の内側底面に、電子レンジで加熱した際に、食材などから流れ出た油分や水分などの液体を溜める溝を作った食器に関する。
【背景技術】
【０００２】  従来のプラスチックの蓋がついた電子レンジで使用可能な陶磁器製や陶器製の食器は、食材の温めや保存の際に、食材に油分や水分が付着していた。
【考案の開示】
【考案が解決しようとする課題】
【０００３】  従来のプラスチックの蓋がついた電子レンジで使用可能な陶磁器製や陶器製の食器は、油分や水分が、食材の温めや保存の際に、食材などから流れ出た油分や水分が付着していた。そのため、余分な油分や水分が食材に付着しているため、摂取油分が高くなったり、食感に違和感がでたりした。
【課題を解決するための手段】
【０００４】  本考案は、電子レンジで使用可能な陶磁器製や陶器製の食器の内側底面に、食材から発生する油分や水分など、流れ出る液体が溜まる溝を少なくとも１つ以上刻設したことを特徴する食器である。
【考案の効果】
【０００５】  プラスチックの蓋がついた、電子レンジで使用可能な陶磁器製や陶器製の食器の内側底面に、油分や水分など、流れ出る液体が溜まる溝を刻設したことにより、電子レンジの加熱時に発生する食材からでた油分を、食器の内側底面の溝へ取り込み、摂取油分が通常の食器で加熱するよりも低くなった。又、保存時に発生する水分も、この溝に取り込めるため、通常の保存よりも水分を減らすことができた。
【考案を実施するための最良の形態】
【０００６】  本実施例で、電子レンジで使用可能な陶磁器製や陶器製の内側底面に、溝を作るために、石膏型を作成の際、食器の内側に洗浄の際、不便さを感じさせない程の溝を作り、食材からの油分や、水分などの、流れ出る液体を取り込み易い形にした。【０００７】  本考案に係る一実施例を、図１と図２を参照して以下説明する。
【実施例】
【０００８】  本実施例では、図１に図示する如く、陶磁器製や陶器製の食器１の内側底面１ａに油分や水分などの液体が流れる溝１ｂを付けた。その結果、図２は、図示省略の電子レンジ内に、電子レンジで使用可能な食器１に食材４を入れて加熱した後に、食材から流れ出た油分２ａが食器１の内側底面の溝１ｂにたまった状態を図示した説明図である。また、図３は、電子レンジで使用可能な食器１の外観イメージと、電子レンジで使用可能なプラスチックの蓋３ｂを図示し取った図である。
【産業上の利用分野】
本考案に係る食器は、食材などの油分や水分の付着軽減だけでなく、食器内側底面の溝に水分をあらかじめ入れておくことにより、電子レンジの加熱にて蒸す効果もできる。
【図面の簡単な説明】
【０００９】
【図１】本考案に係る一実施例の食器内側底面を示す図である。
【図２】本実施例の食器内側に油分が溜まった状態を示す説明図である。
【図３】本考案に係る外観や付属品を表した図である。
【符号の説明】
【００１０】１    食器
１ａ  食器の内側底面
１ｂ  食器の溝
２ａ  油分
３ａ  食器の外観
３ｂ  レンジ可能なプラスチック蓋
４    食材
【図１】
0003145146.tif 000003
【図２】
0003145146.tif 000004
【図３】
0003145146.tif 000005
(57)【要約】【課題】    少量のしきみであっても、しきみを正面から見た場合にお供え用として厚みが出て見栄えを良くすることができるようにしたお供え用しきみ束を提供する。【解決手段】  複数本のしきみを束ねたお供え用しきみ束であって、  枝から後方へ向けて延びる小枝又は葉柄３を前方へ向けて曲げることで、前記小枝又は葉柄３の先端にある葉４を前側へ向けて延びる形態に揃えたことを特徴とする。【選択図】図２
0003145851.tif 000002
【実用新案登録請求の範囲】
【請求項１】
複数本のしきみを束ねたお供え用しきみ束であって、
枝から後方へ向けて延びる小枝又は葉柄を前方へ向けて曲げることで、前記小枝又は葉柄の先端にある葉を前側へ向けて延びる形態に揃えたことを特徴とするお供え用しきみ束。
【考案の詳細な説明】
【技術分野】
【０００１】
本考案はお供え用しきみ束に関するものである。
【背景技術】
【０００２】
関西地方等の葬儀においては、常緑樹である、しきみに白布をかけて送り主の札をつけたものが並べられる場合がある。
【考案の開示】
【考案が解決しようとする課題】
【０００３】
しかし、前記しきみは単に束ねられた形態で用いられるために、しきみの枝に着いている葉のうちのかなりの割合の葉が後方を向いて正面側を向いていないために、葬儀の参列者が正面から見た場合に、お供え用として、しきみの厚みが出ず、お供え用として物足りないという印象があった。
【０００４】
又、特許文献１には、しきみに関する技術が記載されている。しかし、特許文献１には、しきみの結束機に関する技術が記載されているだけで、お供え用として、しきみを用いた場合の見栄えを良くする技術については全く記載されていない。
【０００５】
【特許文献１】特開２００１−１０６２０３
【０００６】
本考案は、前記背景技術の問題点に鑑みてなされたもので、その目的は、少量のしきみであっても、しきみを正面から見た場合にお供え用として厚みが出て見栄えを良くすることができるようにしたお供え用しきみ束を提供することにある。
【課題を解決するための手段】
【０００７】
請求項１に記載のお供え用しきみ束は、複数本のしきみを束ねたお供え用しきみ束であって、
枝から後方へ向けて延びる小枝又は葉柄を前方へ向けて曲げることで、前記小枝又は葉柄の先端にある葉を前側へ向けて延びる形態に揃えたことを特徴とするものである。
【考案の効果】
【０００８】
請求項１に記載の考案によれば、枝から後方へ向けて延びる小枝又は葉柄を前方へ向けて曲げることで、前記小枝又は葉柄の先端にある葉を前側へ向けて延びる形態に揃えたために、例えば、葬儀の参列者は、枝から後方へ延びる葉を正面側から見ることができる。このため、仮に、しきみの葉が少なくても、参列者等は、枝から前側へ延びる葉は勿論見ることができる上に、枝から後方へ延びる葉をもみることができて、お供え用のしきみとして厚みが表出されることができる。
【考案を実施するための最良の形態】
【０００９】
図１は、お供え用しきみ１の１本の全体図を示し、図２は、お供え用しきみ束２の側面図を示す。本実施形態に係るお供え用しきみ束２は、複数本のしきみ１を束ねたものである。そして、しきみ１の小枝、又は葉柄３を正面側へ向けて曲げることで、全ての葉４、又は、多くの葉４を正面側へ向けて揃えた形態になっている。このため、図２に示すように、お供え用しきみ束２を側方から見た場合、後側へ延びる葉が少なく、お供え用しきみ束２は後側が平坦に近い形態になっている。
【００１０】
次に、図１、図２に示すお供え用しきみ束２の作り方を示す。図３〜図６はしきみ１の枝を上方から見た模式図を示す。図３中、上側を正面側とする。先ず、図３に示す１本のしきみ１を手に取る。次に、図４に示すように、正面側を向いていない葉４を指Ｙで摘み、葉柄３を正面側へ向けて曲げることで葉４を正面側に向かせる。次に、同じように正面側へ向いていない葉４を指Ｙで摘んで正面側へ向かせることで、全ての葉４を正面側へ向かせる。このように正面側へ向いた葉４は、小枝や葉柄に絡まったり、当たる等して、その状態が維持される。
【００１１】
次に、図５に示す他のしきみ１の枝を手に取って、同様に、正面側を向いていない葉４を指で摘んで正面側を向かせる。
【００１２】
次に、前述の作業を施したしきみの枝を重ねる。図６は２本のしきみ１の枝を重ねた場合を示すが、同様に、３本以上の複数のしきみ１の枝を重ねることも可能である。
【００１３】
以上のように、しきみ１の枝の葉４を正面側を向かせることで、図７に示すように、葬儀の参列者は、しきみ１の枝の全ての葉４、又は多くの葉４を目にすることができるために、束ねられているしきみ１の枝の本数が少なくて葉４の数が少なくても、お供え用しきみとしての厚みが表出されることができる。
【００１４】
図８、図９は第２実施形態を示す。図８及び図９はしきみ１の枝を上方から見た模式図を示す。この第２実施形態の特徴は、図８に示すように、２本のしきみ１の枝を手に取り、その状態で、図９に示すように、正面側を向いていない葉４を指で摘んで、その葉４の着いている小枝、又は葉柄３を曲げることで、全ての葉４を正面側に向かせた点にある。
【００１５】
前述のように構成された、お供え用しきみ束２は、葬儀の際の祭壇に供えられたり、仏壇、お墓等に供えられることができる。
【図面の簡単な説明】
【００１６】
【図１】図１はしきみの全体図を示す。
【図２】図２は、お供え用しきみ束の側面図を示す。
【図３】図３は、しきみを上方から観た状態の模式図を示す。
【図４】図４は、しきみの葉を指で摘んで、葉を正面側へ向けている作業の途中を示す図である。
【図５】図５は、しきみの葉を全て正面側へ向けた状態の図である。
【図６】図６は、葉を正面側へ向けた２本のしきみの枝を重ねた状態の示す図である。
【図７】図７は、葉を正面側へ向けた状態のしきみを正面側から観た状態の図である。
【図８】図８は、２本のしきみの枝を重ねた状態を示す図である。（第２実施形態）
【図９】図９は、しきみの枝を２本重ねた状態で、葉を全て正面側へ向けた状態を示す図である。（第２実施形態）
【符号の説明】
【００１７】
１  しきみ
２  お供え用しきみ束
３  葉柄
４  葉
【図１】
0003145851.tif 000003
【図２】
0003145851.tif 000004
【図３】
0003145851.tif 000005
【図４】
0003145851.tif 000006
【図５】
0003145851.tif 000007
【図６】
0003145851.tif 000008
【図７】
0003145851.tif 000009
【図８】
0003145851.tif 000010
【図９】
0003145851.tif 000011
(57)【要約】【課題】本考案は、ヒール高さに応じて支承曲度を機能的に調節することができる靴中底の提供。【解決手段】ヒール高さに応じて支承曲度を機能的に調節できる靴中底は、中足骨位置の相対箇所に第一支承部を設け、踵骨の前方縁から中足骨後方縁までの相対箇所に第二支承部を設け、該第二支承部の底部に横方向の溝を若干設け、該溝の開口幅はヒール高さに応じて反比例し、足部の支承曲度を機能的に調節する。【選択図】図１
0003145858.tif 000002
【実用新案登録請求の範囲】
【請求項１】
ヒール高さに応じて支承曲度を機能的に調節できる靴中底は、中足骨位置の相対箇所に第一支承部を設け、踵骨の前方縁から中足骨後方縁までの相対箇所に第二支承部を設け、該第二支承部の底部に溝を若干設けることを特徴とする靴中底。
【請求項２】
前記の溝は横方向に第二支承部の底部に貫設設置されることを特徴とする請求項１記載の靴中底。
【考案の詳細な説明】
【技術分野】
【０００１】
本考案は靴中底に関するものであり、特に、女性用ハイヒールへの使用に適し、ヒール高さに基づき支承曲度を機能的に調節することができる靴中底に係る。
【背景技術】
【０００２】
専門家や学者の文献報告によると、女性用ハイヒールは、通常、流行やデザインの変化を重視した快適性に欠ける設計がなされており、多くの女性は美しさを求めてハイヒールを履くことにより、足の変形を引き起こしている。これはハイヒールを履くと姿勢が変化し重量分布が前方に移動することに起因しており、足前方の中足部や土踏まずが大きな先端圧力を受けて体重を分散して支えることができず、しかも靴自身がきつい故に足部アーチの自然な弾力作用が制限を受け、更に身体の自然な震動吸収能力を低下させている。
【０００３】
人々の快適さに対する感覚と靴の快適性に与える影響を理解する為、業界では、足部の解剖構造及び生物力学に対する理解を必要としており、並びに、これらの原理と日常生活及び特殊活動において足にかかる大きな負荷を理解してこそ、効果的に不快適性を改善し消費者の要求に応えることができる。 
【０００４】
足部は解剖構造において、２６の不規則形状の骨、３０の滑液関節、及び１００本以上の靭帯によって複雑で安定した構造が形成されている。この構造は通常、踵部分、足中央部分、足先部分の三つに分かれている。
【０００５】
その内の踵部分は、地面と接触する踵骨と、踵骨の上方に位置し脛骨に沿って踝関節を形成する踝骨を含む。踵骨によって踵が地面に接触して受ける衝撃力を全身のその他部位、特に膝に伝えている。
【０００６】
足中央部分は、五つの足根骨（舟状骨、立方骨、三つの楔状骨を含む）が靭帯によって緊密に繋がり、外側アーチと内側アーチの基礎を形成する。アーチの機能は脛骨から足部に伝わる全身の重量を支えたり分散させることにある。アーチは足部を異なる荷重や接触面に適応させるのを助ける働きがある。
【０００７】
足先部分は、五つの中足骨及び足の指を構成する１４の趾骨で構成される１９の骨を含む。
【０００８】
足部の解剖構造を十分に理解した後、如何にして、生物力学に符合し効果的に足部にかかる負荷を軽減する靴中底を提供するかが、開発すべき課題である。
【０００９】
特許文献１においてハイヒールに用いる装置が開示されており、該装置では踵骨の前方縁下方に第一突起エリアを、中足骨下方に第二突起エリアを備えた。突起エリアは足部を支え足部にかかる負荷を軽くするものである。
【００１０】
しかしながら、前述の突起エリアはヒール高さに応じて調節することはできず、異なるヒール高さに求められる異なる支承効果を備えさせることは不可能である。
【００１１】
【特許文献１】台湾特許第０９３１０９１４１号明細書
【考案の開示】
【考案が解決しようとする課題】
【００１２】
前述の問題点に鑑み、本考案の考案者は、ヒール高さに応じて支承曲度を機能的に調節できる靴中底を開発した。それは、中足骨位置の相対箇所に第一支承部を設け、踵骨の前方縁から中足骨後方縁までの相対箇所に第二支承部を設け、該第二支承部の底部に横方向の溝を若干設け、該溝の開口幅はヒール高さに応じて反比例し、足部の支承曲度を機能的に調節し、足部の圧力を分散させ足部にかかる身体の圧力を軽減することにより、ハイヒール着用時の不快感を取り除く。
【課題を解決するための手段】
【００１３】
請求項１の考案は、ヒール高さに応じて支承曲度を機能的に調節できる靴中底は、中足骨位置の相対箇所に第一支承部を設け、踵骨の前方縁から中足骨後方縁までの相対箇所に第二支承部を設け、該第二支承部の底部に溝を若干設けることを特徴とする靴中底としている。
請求項２の考案は、前記の溝は横方向に第二支承部の底部に貫設設置されることを特徴とする請求項１記載の靴中底としている。
【考案の効果】
【００１４】
本考案の靴中底は、ヒール高さに応じて支承曲度を機能的に調節できることを特徴とする。
【考案を実施するための最良の形態】
【００１５】
図面に示す通り、本考案の靴中底１は靴底２上に定位する。中足骨の相対箇所に第一支承部１１を設け、踵骨の前方縁から中足骨後方縁までの相対箇所に第二支承部を設ける。該第二支承部１２の底部に横方向の溝１２１を若干設け、該溝１２１の開口幅はヒール３の高さに応じて反比例する。即ち、ヒール３が高くなれば開口幅は狭くなる。
【００１６】
図１Ａに示す通り、ヒール３の高さが低い時、第二支承部１２と内側アーチ１３及び外側アーチ１４の曲度は比較的平坦となる。しかし、ヒール３の高さが増加するのに伴い、図１Ｂ及び図１Ｃに示す通り、第二支承部１２は上方向に隆起し内側アーチ１３及び外側アーチ１４の曲度は増大し、これにより、足部に対する支承曲度は向上する。第二支承部１２が上方向に隆起するのに伴い、その底部の溝１２１は圧力で押し出されて、開口幅は狭くなる（図１Ｃ参照）。溝１２１の開口幅の変化により、足部に対する支承曲度は機能的に調節され、これにより足部の圧力は分散し、足部にかかる身体の圧力を軽減し、ハイヒール着用時の不快感を取り除く。
【図面の簡単な説明】
【００１７】
【図１】ヒール高さに応じて支承曲度を機能的に調節する本考案の側面図である。
【符号の説明】
【００１８】
１      靴中底
１１    第一支承部
１２    第二支承部
１２１  溝
１３    内側アーチ
１４    外側アーチ
２      靴底
３      ヒール
【図１】
0003145858.tif 000003
(57)【要約】【課題】    使用勝手の良好なステップルを提供する。  【解決手段】    ステップルＳは、先端が尖った針を有する第一の針体１と、先端が尖った針を有する第二の針体２と、この第二の針体２と第一の針体１とを接続する接続体３とを有するステップルＳであって、接続体Ｓに設けられ、第一の針体１及び第二の針体２とは、反対方向に突出した突出体４を備えているものである。【選択図】図１
0003145894.tif 000002
【実用新案登録請求の範囲】
【請求項１】
先端が尖った針を有する第一の針体と、先端が尖った針を有する第二の針体と、この第二の針体と前記第一の針体とを接続する接続体とを有するステップルであって、
前記接続体に設けられ、前記第一の針体及び前記第二の針体とは、反対方向に突出した突出体を備えていることを特徴とするステップル。
【請求項２】
先端が尖った針を有する第一の針体と、先端が尖った針を有する第二の針体と、この第二の針体と前記第一の針体とを接続する接続体とを有するステップルであって、
前記接続体に設けられ、前記第一の針体及び前記第二の針体とは、反対方向に突出した突出体を備え、この突出体は、前記接続体に接続して支える支持部と、この支持部の先端より張り出す張り出し部とを有し、前記突出体は、正面視、略Ｔ字型形状を成していることを特徴とするステップル。
【考案の詳細な説明】
【技術分野】
【０００１】
本考案は、ステップルに係り、特にステップルを固定するために、ハンマー等で打撃し易い等の使用勝手の良好なステップルに関する。
【背景技術】
【０００２】
例えば、電気配線を留めるものとして、ステップルがある。従来のステップルは、略Ｕ字形状を成している。ハンマー等で打ちつけるステップルの部位が平らであるため、打ちづらく、時として指を打ち突けてしまい、使用勝手が良好でないという問題点があった。
【考案の開示】
【考案が解決しようとする課題】
【０００３】
本考案は、上記問題点を除去するようにしたステップルを提供することを目的としている。
【課題を解決するための手段】
【０００４】
前記した目的を達成するための本考案のステップルは、先端が尖った針を有する第一の針体と、先端が尖った針を有する第二の針体と、この第二の針体と前記第一の針体とを接続する接続体とを有するステップルであって、前記接続体に設けられ、前記第一の針体及び前記第二の針体とは、反対方向に突出した突出体を備えているものである。
【０００５】
また、請求項２記載のステップルは、先端が尖った針を有する第一の針体と、先端が尖った針を有する第二の針体と、この第二の針体と前記第一の針体とを接続する接続体とを有するステップルであって、前記接続体に設けられ、前記第一の針体及び前記第二の針体とは、反対方向に突出した突出体を備え、この突出体は、前記接続体に接続して支える支持部と、この支持部の先端より張り出す張り出し部とを有し、前記突出体は、正面視、略Ｔ字型形状を成しているものである。
【考案の効果】
【０００６】
請求項１記載のステップルによれば、接続体より突出する突出部を有しているため、ハンマー等を使って打ち易く、ステップルの固定が楽になり、使用勝手の良好なステップルを得ることができる。
【０００７】
また、請求項２記載のステップルによれば、接続体より突出する突出部を有しているため、ハンマー等を使って打ち易く、ステップルの固定が楽になり、使用勝手の良好なステップルを得ることができ、しかも、張り出し部を備えているため、ハンマー等を使ってより打ち易く、
更に、張り出し部が、正面視、略Ｔ字型形状を成しているため、バール等の工具を固定されたステップルの張り出し部に係止し易く、該ステップルを容易に外すこともできる。
【考案を実施するための最良の形態】
【０００８】
本考案の一実施例のステップルを図面を参照して以下説明する。
図１において、Ｓは、ステップルで、ステップルＳは、先端が尖った針を有する第一の針体１と、先端が尖った針を有する第２の針体２と、この第２の針体２と第一の針体１とを接続する接続体３とを有するものである。
４は突出体で、突出体４は接続体３に設けられ、第１の針体１及び第２の針体２とは、反対方向に突出している。突出体４を詳述すれば、突出体４は、接続体３に接続して支える支持部４１と、この支持部４１の先端より張り出す張り出し部４２とを有し、突出体４は、正面視、略Ｔ字形状を成している。
【０００９】
上述したステップルＳによれば、接続体３より突出する突出部４を有しているため、図示しないハンマー等を使って打ち易く、ステップルＳの固定が楽になり、使用勝手の良好なスッテプルＳを得ることができ、
しかも、張り出し部４２を備えているため、図示しないハンマー等を使ってより打ち易く、更に、張り出し部４２が、正面視、略Ｔ字型形状を成しているため、図示しないバール等の工具を固定されたステップルＳの張り出し部４２に係止し易く、該ステップルＳを容易に外すこともできる。
【図面の簡単な説明】
【００１０】
【図１】図１は、本考案の一実施例のステップルの概略的正面図である。
【符号の説明】
【００１１】
Ｓ     …ステップル
１     …第一の針体
２     …第二の針体
３     …接続体
４     …突出体
【図１】
0003145894.tif 000003
(57)【要約】      （修正有）【課題】手提げ紐につながるＣリング形の本体に設けた一側のバネ反撥片と他側先端に押え止めする突起の２点で飲料入りボトルの首部を挟み止めて裸のままで携帯するようにし、鞄，手提げ袋に入れて携帯するときに生じていた表面結露による他物のぬれを防止して、ボトルの携帯が至極手軽で便利になるというボトルストラップを提供する。【解決手段】開口部３を有すＣリング形の本体４と、該開口部に続く一側の内面にクッション作用により飲料入りボトルの首部に圧接するバネ反撥片５を設け、他側の先端に該ボトルの突環下を押え止めする突起７を設けて、飲料入りボトルをＣリング形の本体にて挟み止めて携帯する。【選択図】図１
0003145884.tif 000002
【実用新案登録請求の範囲】
【請求項１】
開口部を有すＣリング形の本体と、該開口部に続く一側の内面にクッション作用により飲料入りボトルの首部に圧接するバネ反撥片を設け、他側の先端に該ボトルの突環下を押え止めする突起を設けて、飲料入りボトルを該Ｃリング形の本体にて挟み止めて携帯するようにしたことを特徴とするボトルストラップ。
【請求項２】
Ｃリング形の本体に手提げ紐取付用の基板を設ける請求項１に記載のボトルストラップ。
【考案の詳細な説明】
【技術分野】
【０００１】
本考案はボトルストラップに関するものである。
【背景技術】
【０００２】
水分補給用として飲料入りのボトルを携帯し、または鞄，手提げ袋等に容れて携帯する人がふえている。
【特許文献１】なし
【考案の開示】
【考案が解決しようとする課題】
【０００３】
しかしながら、飲料入りボトルはその形状からして持ちづらいという課題があり、鞄，手提げ袋等に入れて携帯するときはボトルの結露現象によって鞄，手提げ袋内の他物をぬらすという課題がある。
【課題を解決するための手段】
【０００４】
本考案は、手提げ紐につながるＣリング形の本体にて飲料入りボトルの首部を挟み止めることで楽に手提げ携帯することができるようにして、かかる課題を解決したのである。
【考案の効果】
【０００５】
本考案は手提げ紐につながるＣリング形の本体にて飲料入りボトルの首部を挟み止めて携帯するようにしたので、ボトルの携帯が至極手軽で便利になるという効果を生ずる。
【０００６】
飲料入りボトルを裸のままにて携帯するので、鞄，手提げ袋に入れて携帯するときに生じていた表面結露による他物のぬれを防止することができるという効果を生ずる。
【０００７】
本考案のボトルストラップはＣリング形の本体の開口部に続く一側の内面にバネ反撥片、他側先端に突環下を押さえ止めする突起を設けて、２点で飲料入りボトルの首部を挟み押えするので、携帯時に飲料入りボトルの抜け落ちが防止されるという効果を生ずる。
【０００８】
Ｃリング形の本体は開口部を有することで、飲料入りボトルの首部に簡単に嵌入および取外しができて取扱いを容易にするという効果を生ずる。
【考案を実施するための最良の形態】
【０００９】
本考案は、手提げ紐につながるＣリング形の本体にて飲料入りボトルの首部を両側から挟み止めして携帯するのである。
Ｃリング形の本体は開口部に続く一側内面にクッション作用によりボトルの首部に圧接するバネ反撥片を設け、他側の先端上に該ボトルの突環下を押え止めする突起を設けて、バネ反撥片と突起の双方にてボトルの首部を挟み押さえ止めることで抜け落ちのおそれなしにキャップ締めした飲料入りボトルを手提げ携帯することができるようにしたのである。
【実施例１】
【００１０】
図１乃至図５は第１実施例であって、手提げ紐１の一端を結び付けした基板２の前部に開口部３を有すＣリング形の本体４を一体形成する。
開口部３はボトル６の首部に出し入れ可能な幅を有しており、該開口部３につながる一側の内面に本体４の３分の１径程度に長いバネ反撥片５を設ける。該バネ反撥片５は開口部３側を漸次開いていて、ボトル６の首部６ａに開口部３から入ると閉じて閉じ圧にてボトル６の首部６ａに圧接するようにしている。
開口部３の他端に突環６ｂ下を押さえ止めする突起７を上向きに設けている。
本考案のボトルストラップは、キャップ９を螺着締めした飲料入りボトル６の首部６ａに開口部３からＣリング形の本体４を嵌入するのである。
【００１１】
嵌入したＣリング形の本体４はバネ反撥片５と押さえ止め用の突起７の双方が飲料入りボトル６のキャップ９下に張り出した突環６ｂ下を両側から挟んで押さえ止めするので、飲料入りボトル６は抜け落ちを心配することなくして手提げ携帯が可能になる。
外すときはボトル６の首部６ａよりＣリング形の本体４を抜き出すのである。バネ反撥片５のクッション作用によって本体４はボトル６の首部６ａより簡単且つ容易に外し得るものとなる。
【００１２】
本考案のボトルストラップは図５に示すように丸形の飲料入りボトル６のほか、角形の飲料入りボトル６も手提げ携帯が可能である。
なお図１に示す８は手提げ紐１の中間に取付けたフック環で、フック環８を用いることで鞄，手提げ袋、パンツのベルト通しなどに掛け提げることができて、手放しにて飲料入りボトル６を携帯することができることとなる。また手提げ紐１にかえて首掛け紐（図示してない）を結び付けることもできる。
【実施例２】
【００１３】
図６はバネ反撥片５を両側に設けた第２実施例を示すもので、この場合は突起７は不要となる。その他の構成と作用は前例と同じである。
【産業上の利用可能性】
【００１４】
本考案のボトルストラップは大小各種のキャップ被せした飲料入りボトルを携帯可能とすることで利用分野を広範に拡げることができる。
【図面の簡単な説明】
【００１５】
【図１】本考案の第１実施例を示す斜視図
【図２】（ａ）はＣリング形の本体部分を示す平面図、（ｂ）は同、底面図
【図３】（ａ）はバネ反撥片を開きながら飲料入りボトルの首部を嵌入しつつある状態を示す部分断面平面図、（ｂ）は同、挟み押さえ止めして保持する状態を示す平面図
【図４】同、保持状態を示す部分断面正面図
【図５】丸形ボトルと角形ボトルの携帯状態を示す斜視図
【図６】第２実施例のＣリング形の本体を示す平面図
【符号の説明】
【００１６】
１は手提げ紐
２は基部
３は開口部
４はＣリング形の本体
５はバネ反撥片
６はボトル
６ａは首部
６ｂは突環
７は押さえ止め用の突起
８はフック環
９はキャップ
【図１】
0003145884.tif 000003
【図２】
0003145884.tif 000004
【図３】
0003145884.tif 000005
【図４】
0003145884.tif 000006
【図５】
0003145884.tif 000007
【図６】
0003145884.tif 000008
(57)【要約】      （修正有）【課題】小型のキャップを使用しながらも、松葉ひもの強度が充分に確保できる松葉ひもの取付構造を提供する。【解決手段】ストラップ本体１１の先端部１２幅方向へ２箇所設けられた穿孔１３と、この穿孔１３に取り付けられる松葉ひも２０と、松葉ひも２０の取付けられたストラップ本体１１の先端部１２を被覆するキャップ３０とを備える。松葉ひも２０は、各穿孔１３に同一方向からそれぞれひも両端部を挿通する。そして、挿通されたひも両端部２１は、その内側に環状のひも本体を挟むように熱溶接による接合される。【選択図】図１
0003145889.tif 000002
【実用新案登録請求の範囲】
【請求項１】
ストラップ本体の先端部に環状に形成される松葉ひもの取付構造であって、
ストラップ本体の先端部幅方向へ２箇所設けられた穿孔と、
各穿孔に同一方向からそれぞれ挿通されたひも両端部がその内側に環状のひも本体を挟むように接合した松葉ひもと、
松葉ひもの取付けられたストラップ本体の先端部を被覆するキャップとを備えたことを特徴とするストラップ用松葉ひもの取付構造。
【請求項２】
ひも両端部が熱溶接により接合された松葉ひもを備えたことを特徴とする請求項１記載のストラップ用松葉ひもの取付構造。
【請求項３】
請求項１又は２記載のストラップ用松葉ひもの取付構造を備えたことを特徴とするストラップ。
【考案の詳細な説明】
【技術分野】
【０００１】
本願考案は、ストラップ本体の先端部に環状に形成される松葉ひもの取付構造に関するものである。
【背景技術】
【０００２】
従来、ストラップには、カメラやビデオに取り付けるために、その先端部に環状に形成される松葉ひもを備えている（特許文献１の符号１）
また、通常、松葉ひもをストラップ本体に取り付ける取付構造は、図３に示すようなものであった。すなわち、松葉ひも５０のひも両端部５１，５１を結び、この結び目５２をストラップ本体を構成する帯片６０，６０で挟みこんで、ステッチ６１で留める構造であった。
【０００３】
【特許文献１】実用新案登録第３０４４５６８号公報
【考案の開示】
【考案が解決しようとする課題】
【０００４】
しかしながら、図３に示す従来の「松葉ひもの取付構造」では、結び目５２が大きくなるために、これに合わせてキャップ７０も大きいものが必要となり、小型のキャップを使用することができないでいた。
【０００５】
そこで、本願考案は、小型のキャップを使用しながらも、松葉ひもの強度が充分に確保できる「松葉ひもの取付構造」の提供を目的とするものである。
【課題を解決するための手段】
【０００６】
上記目的を達成するために、第１の考案は、ストラップ本体の先端部に環状に形成される松葉ひもの取付構造であって、ストラップ本体の先端部幅方向へ２箇所設けられた穿孔と、各穿孔に同一方向からそれぞれ挿通されたひも両端部がその内側に環状のひも本体を挟むように接合した松葉ひもと、松葉ひもの取付けられたストラップ本体の先端部を被覆するキャップとを備えたことを特徴とするストラップ用松葉ひもの取付構造である。
第２の考案は、ひも両端部が熱溶接により接合された松葉ひもを備えたことを特徴とする同ストラップ用松葉ひもの取付構造である。
第３の考案は、第１又は第２のストラップ用松葉ひもの取付構造を備えたことを特徴とするストラップである。
【考案の効果】
【０００７】
上記考案によれば、以下のような効果を有する。
（１）ストラップ本体の先端部幅方向へ２箇所設けられた各穿孔に同一方向からそれぞれ挿通されたひも両端部がその内側に環状のひも本体を挟むように接合した松葉ひもを取り付けることによって、松葉ひもの取付部分が厚くならず、ストラップ本体の先端部を被覆するキャップを小型化することができる。
（２）特に、松葉ひものひも両端部を熱溶接により接合することで、松葉ひもの取付部分を厚くせずに松葉ひもの強度を充分に確保することができる。
（３）このような「松葉ひもの取付構造」を備えたストラップであれば、安全・確実かつ使い心地の良いストラップを提供できる。
【考案を実施するための最良の形態】
【０００８】
本願考案の実施形態を図面に基づいて説明する。
図１は、本願考案に係る「ストラップ用松葉ひもの取付構造」を示す説明図である。
図１に示す「ストラップ用松葉ひもの取付構造」は、ストラップ本体１１の先端部１２幅方向へ２箇所設けられた穿孔１３，１３と、この穿孔１３，１３に取り付けられる松葉ひも２０と、松葉ひも２０の取付けられたストラップ本体１１の先端部１２を被覆するキャップ３０とを備える。
【０００９】
図２は、松葉ひもの取付構造を示す拡大図である。
図２に示すように、松葉ひも２０は、各穿孔１３，１３に同一方向からそれぞれひも両端部２１，２１を挿通する。そして、挿通されたひも両端部２１，２１は、その内側に環状のひも本体２２を挟むように接合２３される。ひも両端部２１，２１の接合２３は、熱溶接によるものが好ましいが、これに限られるものではない。
【００１０】
このようにしてストラップ本体１１の先端部１２に取り付けられた松葉ひも２０は、キャップ３０から飛び出したひも本体２２がカメラやビデオとストラップを安全・確実に結びつける役目を果たす。また、松葉ひもの取付部分は従来のように厚くならず、キャップ３０は小型のものを使用できるので、キャップ３０が邪魔にならず使い心地の良いストラップとなる。
【産業上の利用可能性】
【００１１】
本願考案は、「ストラップ用松葉ひもの取付構造」として広く利用できるものである。特に、安全・確実性および操作性の要求されるデジタル製品（カメラ・ビデオカメラ等）用のストラップに有効である。
【図面の簡単な説明】
【００１２】
【図１】本願考案に係る「ストラップ用松葉ひもの取付構造」を示す説明図。
【図２】松葉ひもの取付構造を示す拡大図。
【図３】従来の「松葉ひもの取付構造」を示す説明図。
【符号の説明】
【００１３】
１１  ストラップ本体    １２  先端部    １３  穿孔
２０  松葉ひも    ２１  ひも両端部    ２２  ひも本体    ２３  接合
３０  キャップ
【図１】
0003145889.tif 000003
【図２】
0003145889.tif 000004
【図３】
0003145889.tif 000005
(57)【要約】      （修正有）【課題】ステッチの合わせ部分を内側にできるように構成することで、クッション性に優れ又、デザイン的にも優れたハンドストラップ用パッドを提供する。【解決手段】柔軟素材（人工皮革・合成皮革等）からなる略楕円形状のパッド材２０を２枚重ねて、左右両端を残してその周縁部に重ねてステッチ２１を入れる。ステッチ２１を入れて重なり合ったパッド材２０，２０の内側と外側を反転させて（ひっくり返して）、ハンドストラップ用パッド１０が極めて簡単に形成される。なお、パッド材２０，２０の反転は、ステッチ２１の入っていない一方の端部２２に他方の端部２２を通すことで行われる。また、この時、ハンドストラップ用パッド１０にはステッチ２１が外側に現れず内側に入った状態であるため、外観（デザイン）的に優れたハンドストラップ用パッドとなる。【選択図】図１
0003145890.tif 000002
【実用新案登録請求の範囲】
【請求項１】
ハンドストラップに取り付けて手の甲に当てて使用されるハンドストラップ用パッドであって、
左右両端を残してその周縁部を重ねて接合した２組のパッド材の内側と外側を反転させて構成したことを特徴とするハンドストラップ用パッド。
【請求項２】
２組のパッドの周縁部の接合がステッチによるものであることを特徴とする請求項１記載のハンドストラップ用パッド。
【請求項３】
パッド材が略楕円形状であることを特徴とする請求項１又は２記載のハンドストラップ用パッド。
【請求項４】
パッド材が人工皮革・合成皮革・布・その他の柔軟素材であることを特徴とする請求項１，２又は３記載のハンドストラップ用パッド。
【考案の詳細な説明】
【技術分野】
【０００１】
本願考案は、ハンドストラップに取り付けて手の甲に当てて使用されるハンドストラップ用パッドに関するものである。
【背景技術】
【０００２】
通常、カメラやビデオカメラ等のハンドストラップには、手の甲に当てて使用するためのパッド（ハンドストラップ用パッド）を備えている（特許文献１の符号２０等）。
このハンドストラップ用パッドは、従来、ウェルダー切断やへり返しなどで作成されている。
【０００３】
【特許文献１】特開２００６−１８４８１５号公報
【考案の開示】
【考案が解決しようとする課題】
【０００４】
これに対して、本願考案者は、従来と異なる新規な方法および構造のハンドストラップ用パッドの提供を目的として本願考案を完成するに至った。
【課題を解決するための手段】
【０００５】
上記目的を達成するために、第１の考案は、ハンドストラップに取り付けて手の甲に当てて使用されるハンドストラップ用パッドであって、左右両端を残してその周縁部を重ねて接合した２組のパッド材の内側と外側を反転させて構成したことを特徴とするハンドストラップ用パッドである。
ここで、「２組のパッド材」は、２枚のパッド材である場合の他に、数枚のシート材等を積層したパッド材を２組に分ける場合も含まれる。
第２の考案は、２組のパッドの周縁部の接合がステッチによるものであることを特徴とする同ハンドストラップ用パッドである。
ここで、「周縁部の接合」は、「ステッチ」に限らずに、ステープル等の締結具による接合や接着剤による接合であってもよい。
第３の考案は、パッド材が略楕円形状であることを特徴とする同ハンドストラップ用パッドである。
第４の考案は、パッド材が人工皮革・合成皮革・布・その他の柔軟素材であることを特徴とする同ハンドストラップ用パッドである。
【考案の効果】
【０００６】
本願考案によれば、以下のような効果を有する。
（１）２枚のパッド材の左右両端を残した周縁部に重ねてステッチを入れた後（縫製後）に、２枚のパッド材の内側と外側を反転（ひっくり返す）だけの構成なので、仕立てが極めて簡単ながら、ステッチが見えなくデザイン的に優れている。
（２）パッド側面の手当たりがよい（手当たりが痛くない）。
（３）ステッチの合わせ部分が内側になることで、素材であるパッド材のクッション性がパッド全体のクッション性となり、フワフワ感が出てクッション性に優れたものとなる。
【考案を実施するための最良の形態】
【０００７】
本願考案の実施形態を図面に基づいて説明する。
図１は、本願考案に係るハンドストラップ用パッドの構造工程を示す説明図である。
まず、柔軟素材（人工皮革・合成皮革等）からなる略楕円形状のパッド材２０を２枚重ねて、左右両端を残してその周縁部に重ねてステッチ２１を入れる。
そして、ステッチ２１を入れて重なり合ったパッド材２０，２０の内側と外側を反転させて（ひっくり返して）、ハンドストラップ用パッド１０が極めて簡単に形成される。なお、パッド材２０，２０の反転は、ステッチ２１の入っていない一方の端部２２に他方の端部２２を通すことで行われる。また、この時、ハンドストラップ用パッド１０にはステッチ２１が外側に現れず内側に入った状態であるため、外観（デザイン）的に優れたハンドストラップ用パッドとなっている。
【０００８】
図２は、本願考案に係るハンドストラップ用パッドの構造を示す縦断面図である。
ハンドストラップ用パッド１０は、ステッチ２１の合わせ部分がパッドの内側になることで、素材であるパッド材２０のクッション性がハンドストラップ用パッド１０全体のクッション性となり、クッション性（手当たり性）に優れたものとなる。
【０００９】
図３は、本願考案に係るハンドストラップ用パッドの使用状態を示す説明図である。
図３に示すように、ハンドストラップ用パッド１０は、ビデオカメラ４０用のストラップ３０を左右両端の開口部２３，２３に通して、ストラップ３０に取り付けられる。そして、ハンドストラップ用パッド１０は、ストラップ３０を介してビデオカメラ４０を持つ手５０の甲５１に当てて使用される。この時、手５０の甲５１には、ハンドストラップ用パッド１０のクッション感（フワフワ感）が出て手当たりに優れた状態を提供できる。
【産業上の利用可能性】
【００１０】
本願考案は、カメラやビデオカメラ等のハンドストラップ用のパッドとして幅広く利用できる。但し、ハンドストラップに限らず、各種ベルト・バンドのパッドとして利用することも可能である。
【図面の簡単な説明】
【００１１】
【図１】本願考案に係るハンドストラップ用パッドの構造工程を示す説明図。
【図２】本願考案に係るハンドストラップ用パッドの構造を示す縦断面図。
【図３】本願考案に係るハンドストラップ用パッドの使用状態を示す説明図。
【符号の説明】
【００１２】
１０  ハンドストラップ用パッド
２０  パッド材    ２１  ステッチ    ２２  端部    ２３  開口部
３０  ストラップ
４０  ビデオカメラ
５０  手    ５１  甲
【図１】
0003145890.tif 000003
【図２】
0003145890.tif 000004
【図３】
0003145890.tif 000005